(57)【要約】【課題】出力音量を制御して適切な警報出力を行う。【解決手段】警報に係る音声を出力する警報装置２と、前記警報装置２を制御する警報制御監視装置とを具備する警報システムにおいて、前記警報装置２には、設定レベルの音声信号を音声増幅器１０へ送出する出力レベル制御回路３１と、前記音声増幅器１０から出力される音声信号に基づく音声を出力するスピーカ７と、前記スピーカ７から出力される音声を取り込み音声信号とし、該音声信号の音声レベルと設定された閾値とを比較して閾値以上のレベルで音声出力がなされたことを検出するレベル検出回路３２と、前記警報制御監視装置から送られる制御情報に基づき、前記出力レベル制御回路３１の出力レベルと、前記レベル検出回路３２における閾値とを設定する主制御部１４とを具備する。【選択図】  図１
2004318285.tif 000002
【特許請求の範囲】
【請求項１】
警報に係る音声を出力する警報装置と、前記警報装置を制御する警報制御監視装置とを具備する警報システムにおいて、
前記警報装置には、
設定レベルの音声信号を音声増幅器へ送出する音声出力部と、
前記音声増幅器から出力される音声信号に基づく音声を出力するスピーカと、
前記スピーカから出力される音声を取り込み音声信号とし、該音声信号の音声レベルと設定された閾値とを比較して閾値以上のレベルで音声出力がなされたことを検出するレベル検出回路と、
前記警報制御監視装置から送られる制御情報に基づき、前記音声出力部の出力レベルと、前記レベル検出回路における閾値とを設定する制御部と
を具備することを特徴とする警報システム。
【請求項２】
制御部は、警報制御監視装置から放送開始の際に送られる制御情報に基づき前記音声出力部の出力レベルと前記レベル検出回路における閾値とを設定し、放送終了の際に送られる制御情報に基づき前記音声出力部の出力レベルと前記レベル検出回路における閾値との設定をクリアすることを特徴とする請求項１に記載の警報システム。
【請求項３】
警報に係る音声を出力する警報装置と、前記警報装置を制御する警報制御監視装置とを具備する警報システムの警報装置において、
設定レベルの音声信号を音声増幅器へ送出する音声出力部と、
前記音声増幅器から出力される音声信号に基づく音声を出力するスピーカと、
前記スピーカから出力される音声を取り込み音声信号とし、該音声信号の音声レベルと設定された閾値とを比較して閾値以上のレベルで音声出力がなされたことを検出するレベル検出回路と、
前記警報制御監視装置から送られる制御情報に基づき、前記音声出力部の出力レベルと、前記レベル検出回路における閾値とを設定する制御部と
を具備することを特徴とする警報装置。
【請求項４】
制御部は、警報制御監視装置から放送開始の際に送られる制御情報に基づき前記音声出力部の出力レベルと前記レベル検出回路における閾値とを設定し、放送終了の際に送られる制御情報に基づき前記音声出力部の出力レベルと前記レベル検出回路における閾値との設定をクリアすることを特徴とする請求項３に記載の警報装置。
【発明の詳細な説明】
【０００１】
【発明の属する技術分野】
この発明は、ダム放流警報などの警報を行う警報システム及びそれに用いられる警報装置に関するものである。
【０００２】
【従来の技術】
従来のダム放流警報システムにおいては、放送等の音声出力に関する音声制御を行っていない。ただ、スピーカから出力した音声が規定レベルを超えたレベルであったか否かを検出している。
【０００３】
しかしながら、近時においては、夜間などの清閑時に音量を下げた音声による放送を行う要望が多くなっている。例えば、特許文献１には、集音マイクで警報局の周囲音量を測定して、閾値と比較し、この結果に基づき音量を制御するシステムが開示されている。
【０００４】
【特許文献１】
特開平９−８１８７５号公報（全般）
【０００５】
【発明が解決しようとする課題】
しかしながら、スピーカから出力した音量が規定レベルを超えているか否かを検出するシステムにあっては、単に出力音量を低下させると、スピーカから出力した音量が規定レベルを下回り、適正な出力がなされていないことが検出されてしまうという問題があった。
【０００６】
本発明は上記のような従来の警報システムにおける問題点を解決せんとしてなされたもので、その目的は、出力音量を制御して適切な警報出力を行うことのできる警報システム及びそれに用いられる警報装置を提供することである。
【０００７】
【課題を解決するための手段】
本発明に係る警報システムは、警報に係る音声を出力する警報装置と、前記警報装置を制御する警報制御監視装置とを具備する警報システムにおいて、前記警報装置には、設定レベルの音声信号を音声増幅器へ送出する音声出力部と、前記音声増幅器から出力される音声信号に基づく音声を出力するスピーカと、前記スピーカから出力される音声を取り込み音声信号とし、該音声信号の音声レベルと設定された閾値とを比較して閾値以上のレベルで音声出力がなされたことを検出するレベル検出回路と、前記警報制御監視装置から送られる制御情報に基づき、前記音声出力部の出力レベルと、前記レベル検出回路における閾値とを設定する制御部とを具備することを特徴とする。
【０００８】
本発明に係る警報システムは、制御部は、警報制御監視装置から放送開始の際に送られる制御情報に基づき前記音声出力部の出力レベルと前記レベル検出回路における閾値とを設定し、放送終了の際に送られる制御情報に基づき前記音声出力部の出力レベルと前記レベル検出回路における閾値との設定をクリアすることを特徴とする。
【０００９】
本発明に係る警報装置は、警報に係る音声を出力する警報装置と、前記警報装置を制御する警報制御監視装置とを具備する警報システムの警報装置において、設定レベルの音声信号を音声増幅器へ送出する音声出力部と、前記音声増幅器から出力される音声信号に基づく音声を出力するスピーカと、前記スピーカから出力される音声を取り込み音声信号とし、該音声信号の音声レベルと設定された閾値とを比較して閾値以上のレベルで音声出力がなされたことを検出するレベル検出回路と、前記警報制御監視装置から送られる制御情報に基づき、前記音声出力部の出力レベルと、前記レベル検出回路における閾値とを設定する制御部とを具備することを特徴とする。
【００１０】
本発明に係る警報装置では、制御部は、警報制御監視装置から放送開始の際に送られる制御情報に基づき前記音声出力部の出力レベルと前記レベル検出回路における閾値とを設定し、放送終了の際に送られる制御情報に基づき前記音声出力部の出力レベルと前記レベル検出回路における閾値との設定をクリアすることを特徴とする。
【００１１】
【発明の実施の形態】
以下添付図面を参照して本発明に係る警報システム及びそれに用いる警報装置を説明する。図１に、警報システムの例としてダム放流警報システムの構成図が示されている。このシステムでは、スピーカ７−１〜７−ｎから警報に係る音声を出力する警報局２−１〜２−ｎと、この警報局２−１〜２−ｎを制御する警報制御監視局１を有する警報制御監視装置とが基本的な構成である。
【００１２】
警報局２−１〜２−ｎは、ダムの下流の流域に近接して設置されている。警報局２−ｎは、警報制御監視局１の警報制御監視装置から送られる情報を中継局４を介して受け取る局を示したものである。警報制御監視局１の警報制御監視装置には、マイクロフォン５が設けられており、警報メッセージの音声を入力可能となっている。警報局２−１〜２−ｎにはアンテナ６−１〜６−ｎが設けられており、警報制御監視局１の警報制御監視装置にはアンテナ６−１０が設けられており、中継局４にはアンテナ６−１１、６−１２が設けられており、無線による信号の送受信が行われる。
【００１３】
警報局２−１〜２−ｎは同一の構成である。これら警報局２−１〜２−ｎの詳細構成を図２における警報局２として示す。警報局２には、無線装置８と警報装置９と音声増幅器１０が備えられている。無線装置８には、アンテナ６が接続されている。
【００１４】
警報装置９は、無線装置８と音声増幅器１０に接続されている。警報装置９には、回線インタフェース１２、通信制御部１３、主制御部１４、音声制御部１５及び外部機器インタフェース１６が備えられている。回線インタフェース１２は、アンテナ６及び無線装置８を介して到来する信号を通信制御部１３と音声制御部１５とに分岐させて送出すると共に、通信制御部１３及び音声制御部１５から到来する信号を無線装置８へ送出するものである。
【００１５】
通信制御部１３は、回線インタフェース１２より到来する信号から制御に関する情報を取り出して主制御部１４へ送る一方、主制御部１４から与えられる情報をフレーム化して回線インタフェース１２へ送出するものである。また、主制御部１４は、通信制御部１３から送られてくる情報に基づき各部を制御するものである。
【００１６】
音声制御部１５は、回線インタフェース１２から到来する信号から取り出した音声信号を、内蔵する出力レベル制御回路３１を介して設定されたレベルとして出力する音声出力部を構成するものである。また、音声制御部１５には、レベル検出回路３２が備えられている。このレベル検出回路３２は、スピーカ７から出力され集音マイク１１により取り込まれた音声に対応する信号を外部機器インタフェース１６を介して受け取り、この信号のレベルと設定された閾値とを比較して、閾値以上のレベルで音声出力がなされたか否かを検出し、結果を主制御部１４へ通知するものである。
【００１７】
外部機器インタフェース１６は、主制御部１４による制御の下で、音声制御部１５の出力レベル制御回路３１から送られる音声信号を音声増幅器１０へ出力する一方、集音マイク１１から取り込まれた音声に対応する信号を音声制御部１５のレベル検出回路３２へ送出するものである。この外部機器インタフェース１６には、スピーカ７の接続された音声増幅器１０が接続されるとともに、スピーカ７から出力される音声を収集するための集音マイク１１が接続される。この例では、外部機器インタフェース１６に対し、音声増幅器１０とスピーカ７と集音マイク１１からなるセットが１セット接続されているが、複数セット接続されても良い。
【００１８】
以上のように構成された警報システムにおける警報制御監視局１の警報制御監視装置からは、図３に示されるようなＨＤＬＣ準拠のフレーム構成により制御データが送られてくる。このフレームの内容を説明する。フレームは、送信先アドレスと発信元アドレスとを含むアドレス部、このフレームの制御項目などの情報がセットされた制御部、制御データなどの情報がセットされる情報部、ＦＣＳ（フレームチェックシーケンス）部を有する。
【００１９】
図３のＨＤＬＣフレームは、情報部に制御データがセットされたフレームを示したものである。情報部には、スピーカから出力する音量指示領域が４つのスピーカ分設けられた例を示している。そして、各スピーカ毎の音量指示領域が４ビットのレベル指示ビットにより構成される例となっている。４ビットのレベル指示ビットにより１６種類のレベルを指示可能となっている。上記情報部における音量指示領域は、一般にＮ個分のスピーカに対応する領域が備えられている。各警報局２−１〜２−ｎにおいては備えているスピーカの数が異なるので、これに対応して、各警報局２−１〜２−ｎの警報装置９は、自装置に接続されている数を超える音量指示領域についてはマスクを行い、必要部分を取り出す。また、従来の警報装置と本発明の警報装置９を共存させるシステムでは、従来の警報装置９は音量指示領域についてはマスクを行い、この部分の情報を用いないように構成する。
【００２０】
以上のように構成された警報システムの警報装置９は、図４に示されるフローチャートに従って放送開始制御を行い、図５に示されるフローチャートに従って放送終了制御を行う。以下、これらのフローチャートを参照して警報装置９の動作を説明する。まず、警報装置９は、警報制御監視局１より送信される例えば、図３に示したような放送開始制御データのフレームを受信する（Ｓ１）。
【００２１】
通信制御部１３はフレーム内の情報部からレベル指示ビットを抽出し（Ｓ２）、主制御部１４へ送る。主制御部１４は、音声制御部１５における出力レベル制御回路３１の出力レベルを上記レベル指示ビットに基づき設定する（Ｓ３）。また、主制御部１４は、上記のレベル指示ビットに基づき音声制御部１５におけるレベル検出回路３２の閾値を設定する（Ｓ４）。
【００２２】
次に主制御部１４は、音声増幅器１０をオンとして（Ｓ５）、音声制御部１５が保持している放送開始音データを音声信号化させ、これにより放送開始音の音声信号は出力レベル制御回路３１において設定されているレベルへと増幅され、外部機器インタフェース１６を介して音声増幅器１０へ送られて所定の増幅を受けてスピーカ７から音声として出力される（Ｓ６）。
【００２３】
上記スピーカ７から出力された放送開始音は集音マイク１１により取り込まれて音声信号とされ、外部機器インタフェース１６を介して音声制御部１５のレベル検出回路３２へ送出される（Ｓ６）。レベル検出回路３２は到来した音声信号のレベルと設定されている閾値とを比較し、閾値以上か否かを主制御部１４へ送る（Ｓ７）。
【００２４】
検出結果を受け取った主制御部１４は、当該検出結果の情報を通信制御部１３へ送出する。これを受けて通信制御部１３は、検出結果の情報をフレーム化して回線インタフェース１２へ送る（Ｓ７）。このフレームの信号は無線装置８によりアンテナ６を介して無線信号として送信される。
【００２５】
これを受けて検出結果が閾値以上であるときには、警報制御監視局１の警報制御監視装置は、ダム放流の警報放送の音声信号を送信してくる。この音声信号は、回線インタフェース１２を介して音声制御部１５に取り込まれ、出力レベル制御回路３１において設定されているレベルへと増幅され、外部機器インタフェース１６を介して音声増幅器１０へ送られて所定の増幅を受けてスピーカ７から音声として出力される（Ｓ８）。
【００２６】
なお、検出結果が閾値に満たないことを示す場合には、警報制御監視局１は放送の音声メッセージを送信するのではなく（ステップＳ８へ進ことなく）、例えば、図３に示したような放送開始制御データを再度送信してくるので、ステップＳ１から動作が繰り返される。
【００２７】
次に、放送終了制御の動作を図５に示されるフローチャートを参照して説明する。警報制御監視局１の警報制御監視装置は、ＨＤＬＣフレームにより放送終了制御データを送信してくる。警報装置９は、警報制御監視局１より送信された上記放送終了制御データのフレームを受信する（Ｓ１１）。
【００２８】
通信制御部１３はフレーム内の情報部から放送終了制御データを抽出し、主制御部１４へ送る。主制御部１４は、放送終了制御データを受けて、音声制御部１５が保持している放送終了音データを音声信号化させ、これにより放送終了音の音声信号は出力レベル制御回路３１において設定されているレベルへと増幅され、外部機器インタフェース１６を介して音声増幅器１０へ送られて所定の増幅を受けてスピーカ７から音声として出力される（Ｓ１２）。
【００２９】
上記スピーカ７から出力された放送終了音は集音マイク１１により取り込まれて音声信号とされ、外部機器インタフェース１６を介して音声制御部１５のレベル検出回路３２へ送出される（Ｓ１２）。
【００３０】
レベル検出回路３２は到来した音声信号のレベルと設定されている閾値とを比較し、閾値以上か否かを主制御部１４へ送る。これに応じて主制御部１４は、音声増幅器１０の電源をオフとし（Ｓ１３）、上記でレベル検出回路３２から送られた検出結果の情報を通信制御部１３へ送出する。これを受けて通信制御部１３は、検出結果の情報をフレーム化して回線インタフェース１２へ送る（Ｓ１４）。このフレームの信号は無線装置８によりアンテナ６を介して無線信号として送信される。
【００３１】
更に、主制御部１４は、音声制御部１５における出力レベル制御回路３１の出力レベルをクリアすると共に、音声制御部１５におけるレベル検出回路３２の閾値の設定をクリアする（Ｓ１５）ことにより初期状態に戻す。
【００３２】
なお、上記では放送開始音データと放送開始音データを音声制御部１５が保持するものとしたが、警報制御監視局１から送るようにしても良い。
【００３３】
【発明の効果】
以上説明したように本発明によれば、設定レベルの音声信号を音声増幅器へ送出する音声出力部と、スピーカから出力される音声の音声レベルと設定された閾値とを比較して閾値以上のレベルで音声出力がなされたことを検出するレベル検出回路とに対し、警報制御監視装置から送られる制御情報に基づき、上記音声出力部の出力レベルと、上記レベル検出回路における閾値とを設定するので、所要のときに所要の出力レベルにて音声を出力することができると共に出力レベルが適切であるかの検出が可能となる。
【図面の簡単な説明】
【図１】本発明に係る警報システムの構成例を示す図。
【図２】本発明に係る警報装置の内部ブロック図。
【図３】本発明に係る警報システムにおいて用いられる制御データのフレーム構成を示す図。
【図４】本発明に係る警報システムにおいて行われる放送開始制御の動作を示すフローチャート。
【図５】本発明に係る警報システムにおいて行われる放送終了制御の動作を示すフローチャート。
【符号の説明】
１  警報制御監視局
２、２−１〜２−ｎ  警報局
４  中継局
６  アンテナ
７  スピーカ
８  無線装置
９  警報装置
１０  音声増幅器
１１  集音マイク
１２  回線インタフェース
１３  通信制御部
１４  主制御部
１５  音声制御部
１６  外部機器インタフェース
３１  出力レベル制御回路
３２  レベル検出回路
【図１】
2004318285.tif 000003
【図２】
2004318285.tif 000004
【図３】
2004318285.tif 000005
【図４】
2004318285.tif 000006
【図５】
2004318285.tif 000007